(57)【要約】      （修正有）【課題】大きさが異なる複数の用紙類を綴じることができる多穴バインダ綴じ具を提供する。【解決手段】第一の手段として、用いる用紙類の大きさの種類とその種類の数を定め、そしてその用紙類の中で最も大きいの用紙類の綴じ穴の位置を綴じピンの基準配置位置とし、その基準配置位置に従い全ての用紙類の綴じる位置を定める、そして全ての基準配置位置と全ての用紙類の綴じ込み用縁が干渉する全ての位置には綴じピンを配置しないこととする、第二の手段として、第一の手段で綴じピンを配置しないこととした位置を除いた位置であり、且つ定めた位置にある各用紙類の綴じ込み用縁の綴じ穴で最両端となる二つの位置に各用紙類ごとの綴じ具の綴じピンを配置することとする、第三の手段として綴じ具の綴じピンを上記の第一の手段で配置しないこととした位置と第二の手段で配置することとした位置を除いた全ての基準配置位置に配置する。【選択図】図１
2005088566.tif 000002
【特許請求の範囲】
【請求項１】
大きさが異なる複数の用紙類を綴じることを特徴とする多穴バインダ綴じ具に関する。
【請求項２】
上記の多穴バインダ綴じ具は、大きさが異なる複数の用紙類を綴じピンと干渉することなく綴じるれる綴じピンの配置を特徴とする多穴バインダ綴じ具である。
【請求項３】
その多穴バインダ綴じ具は、大きさが異なる複数の用紙類の綴じ縁側が折れないよう綴じピンを配置することを特徴とする多穴バインダ綴じ具である。
【請求項４】
その多穴バインダ綴じ具は、綴じピン一本に求められる強度は従来の多穴バインダ綴じ具と同等であり、又用紙類の綴じ穴一つに求める強度も同等となるよう綴じピンを配置することを特徴とする多穴バインダ綴じ具である。
【発明の詳細な説明】
【技術分野】
【０００１】  本発明は、大きさが異なる複数の用紙類を綴じることを特徴とする多穴バインダ綴じ具に関する。
【背景技術】
【０００２】  従来の多穴バインダ綴じ具においては綴じられる多穴バインダ用の用紙類を綴じピンに綴じ込む構造であり、用紙類の各綴じ穴に対応した数の綴じピンを備えた従来の多穴バインダ綴じ具や、用紙類の二穴に対応する綴じピンを備えた従来の二穴バインダ綴じ具のものが知られており、具体的な形としてはＢ４Ｓ型、Ｂ３Ｅ型用の３６穴タイプ、Ａ４Ｓ型、Ａ３Ｅ型用の３０穴タイプ、Ｂ５Ｓ型、Ｂ４Ｅ型用の２６穴タイプ、Ａ５Ｓ型、Ａ４Ｅ型用の２０穴タイプ、Ｂ６Ｓ型、Ｂ５Ｅ型用の１８穴タイプ、Ｂ７Ｓ型、Ｂ６Ｅ型用の１３穴タイプに対応したものがある。
【発明の開示】
【発明が解決しようとする課題】
【０００３】  従来の多穴バインダ綴じ具においては、綴じピンの数より穴の数の少ない用紙類、すなわち従来の多穴バインダ綴じ具の綴じ込み部の長さより短い長さの綴じ込み用縁を持つ用紙類を綴じようとした場合、従来の多穴バインダ綴じ具が配置する綴じピンの間隔では、その綴じピンとその小さい用紙類の綴じ込み用縁の複数の綴じ穴の延長線上の端が干渉して用紙類の端が折れ曲がる、そのためため大きさが異なる複数の用紙類を綴じることが出来ないという問題がある。【０００４】  従来の２穴バインダ綴じ具においては、綴じピンを様々な大きさの用紙類の綴じ込み用縁の長さよりより短い間隔で配置することにより大きさが異なる複数の用紙類を綴じることを可能としているが、綴じピンの両終端から用紙類の綴じ込み用縁の両終端まで用紙類を支持しない構造のため、用紙が綴じ込み用縁側が折れ曲がる問題がある。【０００５】  従来の２穴バインダ用綴じ具においては、綴じピンの数が従来の多穴バインダ綴じ具より少ないため２穴バインダ用綴じ具の綴じピン一本にかかる用紙類の荷重等、及び用紙類の綴じ穴一つに対する自重等が従来の多穴バインダ綴じ具を使用する場合より大きい、その為２穴バインダ用綴じ具では従来の多穴バインダ綴じ具より綴じ具の綴じピン一本に対して強度が必要であり、又用紙類の綴じ穴一つに対して強度求めることとなっている。【０００６】  本発明は斯かる事情に鑑み、大きさが異なる複数の用紙類を綴じることが可能であり、用紙類の綴じ込み用縁側が折れ曲がらない、且つ綴じ具の綴じピンが必要とする強度、又用紙類の綴じ穴一つに対する負荷は従来の多穴バインダ綴じ具と同等、という多穴バインダ用綴じ具を提供することを目的としている。
【課題を解決するための手段】
【０００７】  上記目的を達成するため、第一の手段として、本発明の多穴バインダ綴じ具においては、用いる用紙類の大きさの種類とその種類の数を定め、そしてその用紙類の中で最も大きいの用紙類の綴じ穴の位置を綴じピンの基準配置位置とし、その基準配置位置に従い全ての用紙類の綴じる位置を定める、そして全ての基準配置位置と全ての用紙類の綴じ込み用縁が干渉する全ての位置には綴じピンを配置しないこととする、又は綴じピンを配置しないことを可能とする。【０００８】  第二の手段として、第一の手段で綴じピンを配置しないこととした位置を除いた位置であり、且つ定めた位置にある各用紙類の綴じ込み用縁の綴じ穴で最両端となる二つの位置に各用紙類ごとの綴じ具の綴じピンを配置することとする、又は綴じピンを配置可能とする。各用紙類の綴じる位置によっては綴じピンを配置する位置が重複する場合もあるが重複分については無効とする。【０００９】  第三の手段として綴じ具の綴じピンの配置位置、配置数を、上記の第一の手段で配置しないこととした位置と第二の手段で配置することとした位置を除いた全ての基準配置位置に綴じピンを配置する、又は綴じピンを配置可能とする、この時本発明の多穴バインダにおける綴じピン数は最大配置数となる。
【発明の効果】
【００１０】  本発明の第一の効果として、一つの多穴バインダ綴じ具で大きさが異なる複数の用紙類を従来の用紙類の形状変更等を必要とせずに綴じることが可能である。
従来の多穴バインダ綴じ具では、用紙類の大きさが複数の場合、各大きさ用の従来の多穴バインダ綴じ具が複数必要となってしまうので、本発明は携帯性、収納性等において優れた効果を奏し得る。【００１１】  第二の効果として、用紙の綴じ込み用縁の端が折れ曲がない。
従来の２穴バインダでは用紙の綴じ込み用縁の端が折れ曲がってしまうので、本発明は  用紙類等の管理、保護等において優れた効果を奏し得る。【００１２】  第三の効果として、綴じ具の綴じピンの配置数が前記の第三の手段における最大配置数の場合、綴じ具の綴じピン一本に求められる強度は従来の多穴バインダ綴じ具と同等であるため従来の多穴バインダからの構造変更等が容易である。又用紙類の綴じ穴一つに求める強度は従来の多穴バインダ綴じ具と同等であるため従来の用紙類の構造変更等を必要としない優れた効果を奏し得る。
【発明を実施するための最良の形態】
【００１３】  前記の第一の手段、第二の手段、第三の手段により綴じピンの配置を最大配置数とし、使用目的等によって各用紙類は全て中央寄せ、全て上方寄せ、全て下方寄せのいずれかの配置位置となる三種類の多穴バインダ綴じ具がそれぞれ最良の形態と考える。
【実施例】
【００１４】  以下、本発明の実施の形態を添付図面を参照して説明する。
図１は発明を用紙類を中央揃えで綴じる形態で実施した図である、図２は発明を用紙類を上揃えで綴じる形態で実施した図である、図３は発明を用紙類を中央揃えで綴じる形態で実施していない図である、図４は発明を用紙類を上揃えで綴じる形態で実施していない図である、図中、図と同一の符号を付した部分は同一物を表わし、基本的な構成は図に示す従来のものと同様である。【００１５】  ４つの図はいずれも３０穴、２６穴、２０穴、１８穴、１３穴タイプの用紙類を綴じることを例とし、この場合は最も大きい３０穴タイプの用紙類の綴じ穴の位置が綴じピンの基準配置位置となる。【００１６】  図１では図３において２６穴タイプの用紙類３３と綴じピン０２Ａ、２９Ａが、２０穴タイプの用紙類３４と綴じピン０５Ａ、２６Ａが、１８穴タイプの用紙類３５と綴じピン０６Ａ、２５Ａが、１３穴タイプの用紙類３６と綴じピン０８Ａ、２２Ａが干渉しているのでそれらの位置には綴じピンを配置せず、且つ３０穴タイプの用紙類３２を綴じピン０１Ａ、３０Ａで、２６穴タイプの用紙３３を綴じピン０３Ａ、２８Ａで、２０穴タイプの用紙類３４を綴じピン０７Ａ、２４Ａで、１８穴タイプの用紙類３５を綴じピン０７Ａ、２４Ａで、１３穴タイプの用紙類３６を綴じピン０９Ａ、２１Ａで各用紙類の綴じ込み用縁の両外端に綴じピンを配置する。又図１のように中央揃えで２０穴タイプと１８穴タイプの用紙類の両方を綴じようとした場合は２０穴タイプの用紙類の最外側にある綴じ穴ではなく最外側より一つ中央よりの綴じ穴で用紙類を支持することとなる。【００１７】  図１では１３穴タイプの用紙類３６のみ中央よりも上方で綴じる多穴バインダ綴じ具の綴じピンの配置となっているが、これを１８０度回転させたものは１３穴タイプの用紙類３６のみ中央よりも下方で綴じる多穴バインダ綴じ具の綴じピンの配置となる。これは基準配置位置を定める用紙の穴数が偶数で１３穴タイプの用紙類３６のような用紙類の綴じ穴の穴数が奇数の場合は、偶数の中央揃えに出来ないことによる。【００１８】  図２では図４において２６穴タイプの用紙類３３と綴じピン２７Ｂが、２０穴タイプの用紙類３４と綴じピン２１Ｂが、１８穴タイプの用紙類３５と綴じピン１９Ｂが、１３穴タイプの用紙類３６と綴じピン１４Ｂが干渉しているのでそれらの位置には綴じピンを配置せず、且つ３０穴タイプの用紙類３２を綴じピン０１Ｂ、３０Ｂで、２６穴タイプの用紙類３３を綴じピン０１Ｂ、２７Ｂで、２０穴タイプの用紙類３４を綴じピン０１Ｂ、２１Ｂで、１８穴タイプの用紙類３５を綴じピン０１Ｂ、１９Ｂで、１３穴タイプの用紙類３６を綴じピン０１Ｂ、１４Ｂで各用紙類の綴じ込み用縁の両外端に綴じピンを配置する。この場合綴じピン０１Ｂに重複して綴じピンを配置することとなるが重複分は無効とする。【００１９】  図２では用紙類が上揃いとなる多穴バインダ綴じ具の綴じピンの配置を示したが、これを１８０度回転させたものは用紙類が下揃いの多穴バインダ綴じ具の綴じピンの配置となる。【００２０】  図１、図２では本発明の多穴バインダ綴じ具で５つの大きさの用紙類を同時に綴じる例を示したが、使用目的に応じて用紙類の大きさの種類とその種類の数の選択も可能である。今回の例では使用可能な用紙の大きさの種類が最大５つであることから任意の２つの大きさ用が１０通り、３つの大きさ用が１０通り、４つの大きさ用が５通り、５つの大きさ用が１通りという合計２６通りが選択可能な組み合わせとなる。【００２１】  図１、図２では本発明の多穴バインダ綴じ具で綴じピンの数が最大配置数の例を示したが、綴じ具の綴じピン一本の材質、強度、構造等、又用紙類の綴じ穴一つに対する負担等、使用目的等によっては、ピン数を最大配置数より少ない配置数とすることも可能である、その場合、綴じピンを前記の第一の手段で配置しないこととした位置と第二の手段で配置することとした位置を除いた基準配置位置に自由に綴じピンを配置することとし、又は綴じピンを配置可能とする。【００２２】  図１、図２では本発明の多穴バインダ綴じ具を３０穴タイプの例で示したが、他に３６穴、２６穴、２０穴、１８穴タイプの綴じ具がある、３６穴タイプでは用紙類の大きさの種類が最大６つ、２６穴タイプでは用紙類の大きさの種類が最大４つ、２０穴タイプでは用紙類の大きさの種類が最大３つ、１８穴タイプでは用紙類の大きさの種類が最大２つを綴じることが可能であり、これらは使用目的に応じて用紙類の大きさの種類とその種類の数の選択が可能であり、その組み合わせは前記を参照することにより容易と考えられる。【００２３】  本発明の多穴バインダ綴じ具で綴じピンの数が最大配置数の時、綴じ具に収まる最も大きい用紙類より小さい用紙類を１種類増やした場合、綴じピンは中央綴じの場合２ピン減少し、上綴じ、下綴じで増やす場合１ピン減ることとなる。【００２４】  本発明の大きさが異なる複数の用紙類を綴じることを特徴とする多穴バインダ綴じ具は、上記の実施の形態に限定されるものではなく、本発明の要旨を逸脱しない範囲内において種々変更を加え得ることは勿論である。
【図面の簡単な説明】
【００２５】
【図１】発明を、用紙類を中央揃えで綴じる形態で実施した図
【図２】発明を、用紙類を上揃えで綴じる形態で実施した図
【図３】発明を、用紙類を中央揃えで綴じる形態で実施していない図
【図４】発明を、用紙類を上揃えで綴じる形態で実施していない図
【符号の説明】
【００２６】０１Ａ〜３０Ａ  綴じピン
０１Ｂ〜３０Ｂ  綴じピン
３１            綴じ具
３２            ３０穴タイプの用紙類
３３            ２６穴タイプの用紙類
３４            ２０穴タイプの用紙類
３５            １８穴タイプの用紙類
３６            １３穴タイプの用紙類
【図１】
2005088566.tif 000003
【図２】
2005088566.tif 000004
【図３】
2005088566.tif 000005
【図４】
2005088566.tif 000006